(57)【要約】      （修正有）【課題】冷却性に優れ、ケーブル整理が容易なＡＣアダプタ及びそのの放熱装置を簡素な機構により実現すること。【解決手段】ＡＣアダプタの樹脂ケース１から互いに平行に第１放熱プレート５及び第２放熱プレート６を突出させる。これら第１放熱プレート５及び第２放熱プレート６は、ケーブル巻き取り案内部材を構成する。第１放熱プレート５及び第２放熱プレート６は、樹脂ケース１を挟んでその両側へそれぞれ突出する。第１放熱プレート５及び第２放熱プレート６の間にケーブル２が巻かれる。第１放熱プレート５及び第２放熱プレート６は、ケースに巻かれたケーブル２が樹脂ケース１から外れるのを簡単な構造で防止するとともに、ケースの表面積を増大してその放熱性能を改善する。【選択図】図１
2010205526.tif 000002
【特許請求の範囲】
【請求項１】
商用交流電圧を直流低電圧に変換して出力する回路部と、前記回路部を収容するケースと、交流電力を前記回路部に供給する交流ケーブルが接続される交流端子と、前記回路部が出力する直流電力を出力する直流ケーブルとを備えるＡＣアダプタにおいて、
所定幅を隔てて対面する第１、第２のケーブル巻き取り案内部材と、所定幅を隔てて対面する第３、第４のケーブル巻き取り案内部材とを有し、
前記第１〜第４のケーブル巻き取り案内部材は、前記ケースの第１、第２の端面と略平行な方向へ前記ケースから突出し、
前記第１、第２のケーブル巻き取り案内部材は、前記ケースから前記第３、第４のケーブル巻き取り案内部材と略逆方向へ突出していることを特徴するＡＣアダプタ。
【請求項２】
前記第１〜第４のケーブル巻き取り案内部材は、略直方体形状の前記ケースの最も長い辺の方向へ前記ケースから突出している請求項１記載のＡＣアダプタ。
【請求項３】
前記第１のケーブル巻き取り案内部材と前記第２のケーブル巻き取り案内部材とは、互いに略直方体形状の前記ケースの最も短い辺の方向へ離れている請求項１記載のＡＣアダプタ。
【請求項４】
前記第１〜第４のケーブル巻き取り案内部材の少なくとも一部は、樹脂製の前記ケースから突出する金属製の放熱プレートからなる請求項１記載のＡＣアダプタ。
【請求項５】
前記放熱プレートは、前記回路部を構成する回路素子に密着して前記回路素子のヒートシンクをなす請求項４記載のＡＣアダプタ。
【請求項６】
前記第１〜第４のケーブル巻き取り案内部材の突出高さは、前記第１、第２のケーブル巻き取り案内部材の間、かつ、前記第３、第４のケーブル巻き取り案内部材の間に位置して前記ケースに巻かれた前記直流ケーブルの巻き厚さよりも大きい請求項１記載のＡＣアダプタ。
【請求項７】
前記第１〜第４のケーブル巻き取り案内部材の突出高さは、前記第１、第２のケーブル巻き取り案内部材の間、かつ、前記第３、第４のケーブル巻き取り案内部材の間に位置して前記ケースに巻かれた前記直流ケーブル及び前記交流ケーブルの巻き厚さの合計よりも大きい請求項１記載のＡＣアダプタ。
【請求項８】
前記ケーブル巻き取り案内部材は、前記直流ケーブル又は交流ケーブルを係止可能なケーブル係止溝を有する請求項１記載のＡＣアダプタ。
【請求項９】
前記第２、第４のケーブル巻き取り案内部材をなす金属製の放熱プレートを有し、
前記放熱プレートは、前記ケースの開口を閉鎖する蓋板をなす請求項１記載のＡＣアダプタ。
【請求項１０】
前記第１〜第４のケーブル巻き取り案内部材は、樹脂成形により前記ケースと一体に形成されている請求項１記載のＡＣアダプタ。
【請求項１１】
前記第１〜第４のケーブル巻き取り案内部材は、前記ＡＣプラグを固定する溝部を有する請求項１記載のＡＣアダプタ。
【請求項１２】
商用交流電圧を直流低電圧に変換して出力する回路部と、前記回路部を収容するケースと、交流電力を前記回路部に供給する交流ケーブルが接続される交流端子と、前記回路部が出力する直流電力を出力する直流ケーブルとを備えるＡＣアダプタの放熱装置であって、
前記放熱装置は、樹脂により形成された略直方体形状の前記ケースの２つの端面に個別に密着する金属製の第１放熱プレート及び第２放熱プレートを有し、
前記第１放熱プレート及び第２放熱プレートは、所定ギャップを隔てて略平行に配置され、かつ、前記ケースを挟んで略反対側へそれぞれ突出することを特徴とするＡＣアダプタの放熱装置。
【請求項１３】
前記第１放熱プレート及び第２放熱プレートの突出高さは、前記ギャップに巻かれた前記直流ケーブルの巻き厚さよりも大きい請求項１２記載のＡＣアダプタの放熱装置。
【請求項１４】
前記第１放熱プレート及び第２放熱プレートの突出高さは、前記ギャップに巻かれた前記直流ケーブル及び前記交流ケーブルの巻き厚さよりも大きい請求項１２記載のＡＣアダプタの放熱装置。
【請求項１５】
前記第１放熱プレート及び／又は第２放熱プレートは、前記直流ケーブル又は交流ケーブルが係止可能な溝を有する請求項１２記載のＡＣアダプタの放熱装置。
【請求項１６】
前記第１放熱プレート及び／又は第２放熱プレートは、前記ケースの端面に接着される請求項１２記載のＡＣアダプタの放熱装置。
【発明の詳細な説明】
【技術分野】
【０００１】
本発明は商用交流電圧を直流低電圧に変換するＡＣアダプタ及びその放熱を促進する放熱装置の改良に関する。
【背景技術】
【０００２】
たとえばパーソナルコンピュータ（ＰＣ）などの電子機器に給電するＡＣアダプタとして各種の回路形式が知られている。ほとんどのＡＣアダプタは、トランス、スイッチング回路素子及び大容量電解コンデンサを内蔵している。また、ＡＣアダプタは交流ケーブルにより商用交流電源に接続されされ、直流ケーブルにより目的の電気機器に接続される。
ＡＣアダプタにおいて、２つの問題がある。一つの問題はＡＣアダプタの放熱である。熱発生部材であるトランス、スイッチング回路素子及び電解コンデンサをあまりに近接配置すると、一つの回路素子の熱が他の回路素子を加熱し、かつ、回路素子の冷却性も低下する。回路素子特に電解コンデンサの寿命が温度に負の相関をもつことは良く知られている。したがって、ＡＣアダプタのコンパクト化は内部回路素子の放熱問題により制限されていた。放熱プレートを追加することにより電子機器の放熱を促進することは良く知られている。しかし、たとえばＰＣのＡＣアダプタは携帯されることが多いため、放熱プレートが飛び出したＡＣアダプタは携帯性の点で通常のＰＣ使用者により支持されないと思われる。
【０００３】
ＡＣアダプタのもう一つの問題は、交流ケーブル及び直流ケーブルのハンドリングである。これら２種類のケーブルは、デスクや床やバッグの中に無秩序に散乱する。ＡＣアダプタをコンセントに直接接続することにより交流ケーブルを省略することができるが、その分だけ直流ケーブルが長くなり、かつ、コンセントはＡＣアダプタにより覆われてしまう。
このケーブル混乱問題に対して、下記の特許文献１は、ケーブルを内部に収容するＡＣアダプタを提案している。詳しく説明すると、このケーブル収容ＡＣアダプタは、ハウジングに回転可能に取り付けられたスプールをもち、ケーブルがハウジング内のスプールに巻かれる構造をもつ。
【０００４】
けれども、商用ケーブルはかなり太いため、この回転スプールにケーブルを巻き取る構造は、ケーブルを収容するハウジングが大きくなること、ケーブルの巻き取り作業や引き出し作業が煩雑であるなどの問題を有している。
【先行技術文献】
【特許文献】
【０００５】
【特許文献１】ＷＯ０１／０５７８８７
【発明の概要】
【０００６】
本発明は上記したＡＣアダプタの問題点に鑑みなされたものであり、放熱性に優れ、ケーブルの整理が容易なＡＣアダプタ及びその放熱装置を実現することをその目的としている。
この目的を達成する第１発明のＡＣアダプタは、商用交流電圧を直流低電圧に変換して出力する回路部と、回路部を収容するケースと、交流電力を回路部に供給する交流ケーブルが接続される交流端子と、回路部が出力する直流電力を出力する直流ケーブルとを備えるＡＣアダプタに適用される。
【０００７】
このＡＣアダプタは、所定幅を隔てて対面する第１、第２のケーブル巻き取り案内部材と、所定幅を隔てて対面する第３、第４のケーブル巻き取り案内部材とを有し、第１〜第４のケーブル巻き取り案内部材は、ケースの第１、第２の端面と略平行な方向へケースから突出し、第１、第２のケーブル巻き取り案内部材は、ケースから第３、第４のケーブル巻き取り案内部材と略逆方向へ突出していることをその特徴としている。
このようにすると、ケースの表面積は第１〜第４のケーブル巻き取り案内部材の分だけ増大するため、ＡＣアダプタの放熱性を向上することができる。更に、第１〜第４のケーブル巻き取り案内部材はケースにケーブルを巻く際の巻き取り枠を構成することができる。このため、簡素な構造により、ケーブルの無秩序な散乱を防止することができる。本発明のＡＣアダプタは、簡素な作業でケーブル整理を行うことができる。
【０００８】
好適な態様において、第１〜第４のケーブル巻き取り案内部材は、略直方体形状のケースの最も長い辺の方向へケースから突出している。これにより、ケーブルの巻き厚を減らすことができる。
好適な態様において、第１のケーブル巻き取り案内部材と第２のケーブル巻き取り案内部材とは、互いに略直方体形状の前記ケースの最も短い辺の方向へ離れている。これにより、ケーブルが巻かれたＡＣアダプタの厚さを減らすことができるので、ＡＣアダプタをバッグに収容した場合にバッグの膨らみを減らすことができる。
好適な態様において、第１〜第４のケーブル巻き取り案内部材の少なくとも一部は、樹脂製の前記ケースから突出する金属製の放熱プレートからなる。これにより、回路部の温度上昇を抑止することができる。このため、回路部を高密度に配置することができるとともに、回路素子の信頼性及び寿命を改善することができる。たとえば平滑用の電解コンデンサ部の寿命を改善することができる。
【０００９】
好適な態様において、放熱プレートは、回路部を構成する回路素子に密着して回路素子のヒートシンクをなす。たとえば、放熱プレートは、平滑用の電解コンデンサのケースに密着されたり、トランスのコアに密着される。これにより、回路素子の放熱を促進することができる。
好適な態様において、第１〜第４のケーブル巻き取り案内部材の突出高さは、第１、第２のケーブル巻き取り案内部材の間、かつ、第３、第４のケーブル巻き取り案内部材の間に位置してケースに巻かれた直流ケーブルの巻き厚さよりも大きい。これにより、ケースに巻かれた直流ケーブルがケースから外れるのを防止することができる。
【００１０】
好適な態様において、第１〜第４のケーブル巻き取り案内部材の突出高さは、第１、第２のケーブル巻き取り案内部材の間、かつ、第３、第４のケーブル巻き取り案内部材の間に位置してケースに巻かれた直流ケーブル及び交流ケーブルの巻き厚さの合計よりも大きい。これにより、ケースに巻かれた直流ケーブル及び交流ケーブルがケースから外れるのを防止することができる。
好適な態様において、ケーブル巻き取り案内部材は、直流ケーブル又は交流ケーブルを係止可能なケーブル係止溝を有する。これにより、簡単な係止構造により巻き取った直流ケーブル及び／又は交流ケーブルがばらけるのを簡単に阻止することができる。
【００１１】
好適な態様において、第２、第４のケーブル巻き取り案内部材をなす金属製の放熱プレートを有し、放熱プレートは、ケースの開口を閉鎖する蓋板をなす。これにより、放熱性及びケーブル巻き取り性に優れたＡＣアダプタを簡素に構成することができる。
好適な態様において、第１〜第４のケーブル巻き取り案内部材は、樹脂成形によりケースと一体に形成されている。これにより、従来と同じ製造方法で放熱性が改善され、ケーブル巻き取り性が改善されたＡＣアダプタを実現することができる。
好適な態様において、第１〜第４のケーブル巻き取り案内部材は、ＡＣプラグを固定する溝部を有する。これにより、ＡＣプラグをコンパクトに収容することができる。
【００１２】
上記目的を達成する第２発明のＡＣアダプタの放熱装置は、商用交流電圧を直流低電圧に変換して出力する回路部と、回路部を収容するケースと、交流電力を回路部に供給する交流ケーブルが接続される交流端子と、回路部が出力する直流電力を出力する直流ケーブルとを備えるＡＣアダプタの放熱装置として用いられる。
この発明の放熱装置は、樹脂により形成された略直方体形状のケースの２つの端面に個別に密着する金属製の第１放熱プレート及び第２放熱プレートを有し、第１放熱プレート及び第２放熱プレートは、所定ギャップを隔てて略平行に配置され、かつ、ケースを挟んで略反対側へそれぞれ突出することを特徴としている。
【００１３】
このようにすれば、金属製の第１放熱プレート及び第２放熱プレートは、樹脂ケースを通じて回路部の熱を良好に外部に放散することができるので、回路部の温度上昇を低減することができる。更に、第１放熱プレート及び第２放熱プレートは、樹脂ケースを挟持し、樹脂ケースのたとえば長さ方向の両側へそれぞれ突出するので、第１放熱プレート及び第２放熱プレートのケースから突出する部分は、ケースの周囲に巻かれたケーブルがケースから外れるのを防止する。すなわち、第１放熱プレート及び第２放熱プレートは、ケースに巻いたケーブルがケースから外れるのを防止する巻き取り枠（ケーブル巻き取り案内部材）を兼ねる。
【００１４】
結局、本発明によれば、たとえば平板状の２枚の金属プレートで既存のＡＣアダプタを挟設するだけで上記２つの効果を奏することができる。
好適な態様において、第１放熱プレート及び第２放熱プレートの突出高さは、ギャップに巻かれた直流ケーブルの巻き厚さよりも大きい。これにより、直流ケーブルのすべてを容易にＡＣアダプタに巻くことができる。
好適な態様において、第１放熱プレート及び第２放熱プレートの突出高さは、ギャップに巻かれた直流ケーブル及び交流ケーブルの巻き厚さよりも大きい。これにより、交流ケーブル及び直流ケーブルのすべてを容易にＡＣアダプタに巻くことができる。
【００１５】
好適な態様において、第１放熱プレート及び第２放熱プレートは、直流ケーブル及び／又は交流ケーブルが係止可能な溝を有する。これにより、簡単な係止構造により巻き取った直流ケーブル及び／又は交流ケーブルがばらけるのを簡単に阻止することができる。
好適な態様において、第１放熱プレート及び第２放熱プレートは、ケースの端面に接着される。接着材料としては、通常の接着剤の他、熱伝導グリスなどでもよい。これにより、放熱性を更に向上することができる。
【発明を実施するための形態】
【００１６】
本発明の好適な実施態様を図面を参照して説明する。
（実施形態１）
携帯型ＰＣのためのＡＣアダプタに適用した実施形態１のＡＣアダプタを図１を参照して説明する。図１（Ａ）はこのＡＣアダプタの平面図、図１（Ｂ）はこのＡＣアダプタの側面図である。
１は樹脂ケース、２はケーブル、３はＡＣプラグ、４はＤＣプラグ、５は第１放熱プレート、６は第２放熱プレートである。樹脂ケース１の内部には図略の回路部が収容されている。この回路部は高圧整流回路、スイッチング回路、降圧トランス、低圧整流回路、平滑コンデンサを含んでいる。ＡＣアダプタの回路部は種々の回路形式をもち、それぞれ周知であるので、図示説明は省略する。
【００１７】
樹脂ケース１は略直方体形状をもち、ケーブル２が巻かれている。巻かれたケーブル２と接触する樹脂ケース１の４つの角部は面取りされている。樹脂ケース１には交流ケーブル２１及び直流ケーブル２２が巻かれている。したがって、ケーブル２は交流ケーブル２１及び直流ケーブル２２を含む。
ＡＣプラグ３は交流ケーブル２１の一端に接続され、ＤＣプラグ４は直流ケーブル２２の一端に接続されている。交流ケーブル２１の他端は、樹脂ケース１の孔を通じて樹脂ケース１内部の回路部の入力端（図示せず）に接続されている。直流ケーブル２２の他端は、樹脂ケース１の孔を通じて樹脂ケース１内部の回路部の出力端（図示せず）に接続されている。なお、交流ケーブル２１の他端をたとえば眼鏡状のプラグとし、この眼鏡状のプラグを樹脂ケース１に設けた雌コネクタ（端子）に嵌め
てもよい。
【００１８】
第１放熱プレート５及び第２放熱プレート６は、樹脂ケース１の幅方向と直交する向きに延設されている。第１放熱プレート５及び第２放熱プレート６の間には所定のギャップＧが設けられている。第１放熱プレート５及び第２放熱プレート６は、樹脂ケース１の長さ方向両側へそれぞれ突出している。
第１放熱プレート５及び第２放熱プレート６は、樹脂ケース１内の回路部が発生する熱を外部に良好に伝達する。このため、回路部の温度上昇を抑止することができる。また、第１放熱プレート５及び第２放熱プレート６は、樹脂ケース１に巻かれたケーブル２が樹脂ケース１から外れるのを防止する。つまり、第１放熱プレート５及び第２放熱プレート６はケーブル巻き取り案内部材を兼ねる。これにより、ケーブル２の無秩序な散乱を防止することができる。
【００１９】
樹脂ケース１の外端面からの第１放熱プレート５及び第２放熱プレート６の突出高さは、ギャップに巻かれた交流ケーブル２１及び直流ケーブル２２の最大巻厚よりも大きくされている。これにより、第１放熱プレート５及び第２放熱プレート６は、樹脂ケース１に巻かれた交流ケーブル２１及び直流ケーブル２２のすべてのターンの外れを防止することができる。７、８は、第１放熱プレート５の先端部に設けられたケーブル係止溝である。ケーブル係止溝７には直流ケーブル２２が係止されている。
第１放熱プレート５及び第２放熱プレート６は、樹脂ケース１の内部において、トランスのコアや電解コンデンサのケースなどに密着している。第１放熱プレート５及び第２放熱プレート６はスイッチング素子をなす半導体チップに絶縁シートを介して密着することができる。これにより、回路部を構成する各回路素子の温度を低減することができる。
この実施例のケーブル２を樹脂ケース１に巻くことにより、ケーブル２を簡単かつコンパクトに整理することができる。
【００２０】
（実施形態２）
携帯型ＰＣのためのＡＣアダプタに適用した実施形態２のＡＣアダプタを図２を参照して説明する。図２（Ａ）はこのＡＣアダプタの平面図、図２（Ｂ）はこのＡＣアダプタの側面図である。
１は樹脂ケース、２はケーブル、５は第１放熱プレート、６は第２放熱プレートである。第１放熱プレート５及び第２放熱プレート６は本発明で言うＡＣアダプタの放熱装置を構成している。樹脂ケース１の内部には図略の回路部が収容されている。この回路部は高圧整流回路、スイッチング回路、降圧トランス、低圧整流回路、平滑コンデンサを含んでいる。
樹脂ケース１は略直方体形状をもち、ケーブル２が巻かれている。ケーブル２は交流ケーブル２１及び直流ケーブル２２を含む。この実施形態では、巻かれたケーブル２と接触する樹脂ケース１の４つの角部は面取りされていない。
【００２１】
第１放熱プレート５及び第２放熱プレート６は、樹脂ケース１の幅方向と直交する向きに延設されている。第１放熱プレート５及び第２放熱プレート６は、樹脂ケース１を幅方向に挟持している。９は筒状のナット、１０はネジである。第１放熱プレート５及び第２放熱プレート６にはネジ１０が貫通可能な多数の孔を有する。適切な孔を貫通する合計８つのネジ８と合計４つのナット７とにより、樹脂ケース１が第１放熱プレート５及び第２放熱プレート６により挟持されている。樹脂ケース１に覆われない位置の樹脂ケース１の孔を貫通してネジ１０を挿入し、各ネジ１０を筒状のナット７に螺入する。これにより、第１放熱プレート５及び第２放熱プレート６は樹脂ケース１を強く挟持する。第１放熱プレート５及び第２放熱プレート６と樹脂ケース１の外端面との間に接着剤を介在させてもよい。これにより、樹脂ケース１から第１放熱プレート５及び第２放熱プレート６への伝熱抵抗を低減することができる。
【００２２】
第１放熱プレート５及び第２放熱プレート６の間には所定のギャップＧが設けられている。ギャップＧは樹脂ケース１の幅に等しい。第１放熱プレート５及び第２放熱プレート６は、樹脂ケース１の長さ方向両側へそれぞれ突出している。第１放熱プレート５及び第２放熱プレート６は、樹脂ケース１に巻かれたケーブル２が樹脂ケース１から外れるのを防止する。つまり、第１放熱プレート５及び第２放熱プレート６はケーブル巻き取り案内部材を兼ねる。これにより、ケーブル２の無秩序な散乱を防止することができる。
【００２３】
樹脂ケース１の外端面からの第１放熱プレート５及び第２放熱プレート６の突出高さは、ギャップに巻かれた交流ケーブル２１及び直流ケーブル２２の最大巻厚よりも大きくされている。これにより、第１放熱プレート５及び第２放熱プレート６は、樹脂ケース１に巻かれた交流ケーブル２１及び直流ケーブル２２のすべてのターンの外れを防止することができる。７、８は、第１放熱プレート５の先端部に設けられたケーブル係止溝である。この実施例のケーブル２を樹脂ケース１に巻くことにより、ケーブル２を簡単かつコンパクトに整理することができる。
【００２４】
（実施形態３）
携帯型ＰＣのためのＡＣアダプタに適用した実施形態３のＡＣアダプタを図３を参照して説明する。図３（Ａ）はこのＡＣアダプタの平面図、図４（Ｂ）はこのＡＣアダプタのＡ−Ａ線矢視側面断面図である。
１は樹脂ケース、２はケーブル、５は第１放熱プレートである。樹脂ケース１は、図３（Ｂ）に示すように、一端開口のトレイ形状を有している。樹脂ケース１は、底板１１と側壁１２とからなる。側壁１２は略長方形に形成されている。底板１１は、側壁１２から長手方向両側へ突出する突出壁部１１１、１１２を有している。
【００２５】
第１放熱プレート５は、アルミプレートであって樹脂ケース１の底板１１と同じ形状を有している。第１放熱プレート５も樹脂ケース１の突出壁部１１１、１１２と同様の突出壁部５１、５２を有している。突出壁部１１１、１１２にはケーブル係止溝７、８が凹設されている。ケーブル係止溝７、８は、アルミプレートを切り曲げて形成されている。切り曲げられたアルミ片５３、５４は樹脂ケース１の側壁１２に設けられた凹部に挿入されている。
樹脂ケース１の底板１１及び側壁１２と第１放熱プレート５とにより回路収容空間１１３が形成される。回路収容空間１１３には回路素子１１４、１１５が収容されている。回路素子１１４、１１５は第１放熱プレート５に密着している。
【００２６】
第１放熱プレート５の突出壁部５１と樹脂ケース１の突出壁部１１１との間のギャップ、及び第１放熱プレート５の突出壁部５２と樹脂ケース１の突出壁部１１２の間のギャップは、側壁１２に巻かれたケーブルが外れるのを防止するケーブル巻き取り案内部材を構成している。すなわち、この実施例では、回路素子を密閉する樹脂ケース１及び第１放熱プレート５から突出する突出壁部１１１、１１２、５１、５２がケーブル巻き取り案内部材を構成している。また、突出壁部５１、５２及び突出壁部１１１、１１２は、ＡＣアダプタの表面積を増大するため、ＡＣアダプタの温度上昇を抑制する。
【００２７】
（実施形態４）
携帯型ＰＣのためのＡＣアダプタに適用した実施形態４のＡＣアダプタを図４、図５を参照して説明する。図４（Ａ）はこのＡＣアダプタの一部破断側面図、図４（Ｂ）はＸ方向（図４（Ａ）参照）から見たこのＡＣアダプタの平面図、図５は、Ｙ方向（図４（Ａ）参照）から見たこのＡＣアダプタの平面図である。
１は略直方体形状の樹脂ケース、１１１〜１１４は樹脂ケースから突出する突出壁部である。図略のケーブルは、突出壁部１１１、１１２の間のギャップ、及び突出壁部１１３、１１４の間のギャップに位置して樹脂ケース１の側壁１２に巻かれている。突出壁部１１１〜１１４は、ケーブルが側壁１２から外れるのを防止するケーブル巻き取り案内部材を構成している。すなわち、この実施例では、回路素子を密閉する樹脂ケース１から突出する突出壁部１１１〜１１４がケーブル巻き取り案内部材を構成している。また、突出壁部１１１〜１１４はＡＣアダプタの樹脂ケース１の表面積を増大するため、ＡＣアダプタの温度上昇を抑制する。
【００２８】
交流ケーブル２１は、樹脂ケース１のうち突出壁部１１３に連なる端壁部１５に設けられたケーブル保持溝１１６から突出している。交流ケーブル２１の先端に接続されたＡＣプラグ３の一対の平板電極端子３１、３２は、樹脂ケース１の突出壁部１１１に設けられた端子保持溝７１、７２に押し込まれて保持されている。これにより、ＡＣプラグ３は、樹脂ケース１の側壁１２に巻かれたケーブルが外れるのを防止することができるとともに、ＡＣプラグ３がＡＣアダプタの外側に飛び出すのを防止することができる。
なお、上記各実施例のケーブル巻き取り案内部材を折り畳んだり、スライドさせることにより、ケーブルがケースから引き出された状態にてケースを小型化してもよい。
【図面の簡単な説明】
【００２９】
【図１】実施形態１のＡＣアダプタを示す図である。図１（Ａ）はこのＡＣアダプタの模式平面図、図１（Ｂ）はこのＡＣアダプタの模式側面図である。
【図２】実施形態２のＡＣアダプタを示す図である。図２（Ａ）はこのＡＣアダプタの模式平面図、図２（Ｂ）はこのＡＣアダプタの模式側面図である。
【図３】実施形態３のＡＣアダプタを示す図である。図３（Ａ）はこのＡＣアダプタの模式平面図、図３（Ｂ）はこのＡＣアダプタの模式断面側面図である。
【図４】実施形態３のＡＣアダプタを示す図である。図４（Ａ）はこのＡＣアダプタの一部破断模式側面図、図４（Ｂ）はこのＡＣアダプタの模式平面図である。
【図５】実施形態３のＡＣアダプタの裏側から見た模式平面図である。
【符号の説明】
【００３０】
１は樹脂ケース、２はケーブル（交流ケーブル及び直流ケーブル）、３はＡＣプラグ、５は第１放熱プレート、６は第２放熱プレート、７、８はケーブル係止溝、９はナット、１０はネジ、２１は交流ケーブル、２２は直流ケーブル、１１は底板、１２は側壁、１５は端壁部、５１、５２、１１１〜１１４は突出壁部、１１３は回路収容空間、１１５はケーブル保持溝、３１、３２は平板電極端子、７１、７２は端子保持溝、
【図１】
2010205526.tif 000003
【図２】
2010205526.tif 000004
【図３】
2010205526.tif 000005
【図４】
2010205526.tif 000006
【図５】
2010205526.tif 000007